(57)【特許請求の範囲】
【請求項１】
硫黄又は硫黄混合物からなり硫黄昇華ガスを発生する忌避剤と、  前記忌避剤を収容するとともに少なくとも底部に硫黄昇華ガスが通過可能なガス通過孔を有する有底筒状の忌避剤収容部と、  前記ガス通過孔を通過した硫黄昇華ガスを貯留するとともに側部の少なくとも上下方向略中央よりも上方に硫黄昇華ガスが通過可能なガス流出孔を有する有底筒状のガス貯留部とを備えた  動物忌避具。
【請求項２】
前記忌避剤収容部を前記ガス貯留部の上部内側に配置するとともに、該忌避剤収容部の上面開口を閉塞し、かつ、少なくとも前記ガス流出孔が位置する部位を外側から間隔をおいて覆うカバー部を有する
ことを特徴とする請求項１記載の動物忌避具。
【請求項３】
前記カバー部は前記忌避剤収容部又は前記ガス貯留部の少なくとも一方に着脱自在に設けた
ことを特徴とする請求項２記載の動物忌避具。
【請求項４】
前記カバー部には吊り下げ用の紐を有する
ことを特徴とする請求項２又は請求項３記載の動物忌避具。
【発明の詳細な説明】
【技術分野】
【０００１】
本発明は硫黄昇華ガスによりムクドリなどの鳥獣を忌避させる動物忌避具に関するものである。
【背景技術】
【０００２】
従来、この種の動物忌避具として特許文献１に開示されたものが知られている。  この動物忌避具は、忌避剤である硫黄を収容した忌避剤収容部と、忌避剤収容部を加熱する加熱器とから構成されている。鳥獣を忌避するときは、鳥獣が出没する場所に動物忌避具を配置し、加熱器の熱により硫黄を液化する。これにより、鳥獣の出没場所で硫黄が蒸発してガスを発生するため、硫黄のガス臭により出没場所に鳥獣が近づくことがなくなる。
【先行技術文献】
【特許文献】
【０００３】
【特許文献１】実公平６−１６５２８号
【発明の概要】
【発明が解決しようとする課題】
【０００４】
前記従来の動物忌避具においは、前述の如く、硫黄のガス量及び濃度を上げるため、硫黄を加熱し液化する工程を有している。しかしながら、硫黄のガス量及び濃度が高くなるものの、これと同時に、ガスの温度も高くなるため、引火し易く危険なものとなっていた。また、動物忌避具が設置される場所（動物の出没場所）が屋外となっているため、大量のガスを一時的に大量に放出したとしても風などの影響でガスが出没場所に留まることがなく、従って、従来の動物忌避具では継続的に動物を忌避することができなかった。
【０００５】
本発明の目的は、前記従来の問題点に鑑み、硫黄を加熱することなく高濃度の硫黄昇華ガスを放出し、また、継続的な動物忌避作用を実現することができる動物忌避具を提供することにある。
【課題を解決するための手段】
【０００６】
本発明は前記課題を解決するため、請求項１の発明に係る動物忌避具は、硫黄又は硫黄混合物からなり硫黄昇華ガスを発生する忌避剤と、忌避剤を収容するとともに少なくとも底部に硫黄昇華ガスが通過可能なガス通過孔を有する有底筒状の忌避剤収容部と、ガス通過孔を通過した硫黄昇華ガスを貯留するとともに側部の少なくとも上下方向略中央よりも上方に硫黄昇華ガスが通過可能なガス流出孔を有する有底筒状のガス貯留部とを備えた構造となっている。
【０００７】
請求項１の発明によれば、忌避剤収納部に収容された忌避剤が昇華して硫黄昇華ガスが発生する。ここで、硫黄昇華ガスの分子量と空気の平均分子量を比較するとき、硫黄昇華ガスの方が高く、硫黄昇華ガスの方が空気より重くなっている。よって、硫黄昇華ガスは忌避剤収容部の下方に向かって流れ、更に、忌避剤収容部の底部に有するガス通過孔を通ってガス貯留部に流入する。ガス貯留部に流入した硫黄昇華ガスはガス貯留部の底側で滞留し、硫黄昇華ガスの流入量が多くなるに従ってガス濃度が高くなる一方、硫黄昇華ガスの貯留高さも次第に高くなる。硫黄昇華ガスの貯留高さがガス流出孔の高さに至ったとき、或いは、動物忌避具が風などで揺れて動物忌避具が傾いてガス流出孔の高さ位置が低くなったとき、ガス流出孔から高濃度の硫黄昇華ガスが流出する。これにより、動物忌避具の周囲に硫黄昇華ガスの臭いが広がり鳥獣が寄ってくることがない。
【０００８】
請求項２の発明は、請求項１の動物忌避具において、忌避剤収容部をガス貯留部の上部内側に配置するとともに、忌避剤収容部の上面開口を閉塞し、かつ、少なくともガス流出孔が位置する部位を外側から間隔をおいて覆うカバー部を有する。
【０００９】
請求項２の発明によれば、カバー体が忌避剤収容部の蓋機能を有し、忌避剤収容部内への雨水の浸入を防止している。また、ガス流出孔を通じて雨水がガス貯留部に浸入することがないため、ガス貯留部に雨水が溜まることがなく、これにより、ガス貯留部のガス貯留容積が小さくなることがない。
【００１０】
請求項３の発明は、請求項２記載の動物忌避具において、カバー部は忌避剤収容部又はガス貯留部の少なくとも一方に着脱自在に設けた構造となっている。
【００１１】
請求項３の発明によれば、忌避剤収容部に忌避剤を収容するときは、カバー部を外し、更に忌避剤収容部の上部から忌避剤を入れ、元のようにカバー部を忌避剤収容部に取り付ければよい。また、カバー部の開閉操作により忌避剤を簡単に交換できる。
【００１２】
請求項４の発明は、請求項１乃至請求項３の動物忌避具において、カバー部には吊り下げ用の紐を有するので、この紐を街路樹等に結び付ければよく、動物忌避具を簡単に設置することができる。
【発明の効果】
【００１３】
本発明によれば、忌避剤から昇華した硫黄昇華ガスが高濃度になって貯留され、この高濃度の硫黄昇華ガスが周囲に流出するため、鳥獣を確実に忌避できる。また、忌避剤が自然昇華して硫黄昇華ガスが発生するため、継続的に鳥獣を忌避することができる。
【図面の簡単な説明】
【００１４】
【図１】第１実施形態に係る動物忌避具の斜視図
【図２】第１実施形態に係る動物忌避具の縦断面図
【図３】第１実施形態に係る動物忌避具の分解斜視図
【図４】第１実施形態に係る動物忌避具の使用方法を示す正面図
【図５】第２実施形態に係る動物忌避具の一部省略縦断面図
【発明を実施するための形態】
【００１５】
図１乃至図４は本発明の第１実施形態に係る動物忌避具を示すものである。    本実施形態に係る動物忌避具１０は、鳥獣が忌避するガス臭を発生する忌避剤１１と、忌避剤１１を収容する忌避剤収容かご１２と、忌避剤１１から昇華した硫黄昇華ガスを貯留するガス貯留筒１３と、忌避剤収容かご１２及びガス貯留筒１３への雨水の浸入を防止するカバー体１４とを有している。
【００１６】
忌避剤１１は固形の硫黄又は硫黄混合物からなるものである。なお、自然昇華により硫黄昇華ガスを発生するものであれば何れのものでも良い。
【００１７】
忌避剤収容かご１２は合成樹脂からなり、図２に示すように、上面が開口した有底円筒状に形成し、その内側には忌避剤１１を収納している。また、忌避剤収容かご１２の側板は底板から上方に向かうに従って外側に広がっており、忌避剤収容かご１２への忌避剤投入作業や忌避剤収容かご１２からの忌避剤取出作業が簡単にできるようになっている。更に、忌避剤収容かご１２の側板及び底板には複数のガス通過孔１２ａが形成されている。各ガス通過孔１２ａの径は忌避剤１１が通過しない程度の大きさに設計され、また、各ガス通過孔１２ａの個数は硫黄昇華ガスが忌避剤収容かご１２内に滞留することがないよう多数個となっている。忌避剤収容かご１２の上端には外側に向かって屈曲した環状のフランジ部１２ｂを有している。フランジ部１２ｂの下面はガス貯留筒１３の上端に係止し、他方、フランジ部１２ｂの上面はカバー体１４の内面に当たるよう形成されている。これにより、フランジ部１２ｂが、忌避剤収容かご１２、ガス貯留筒１３及びカバー体１４の結合箇所となっている。
【００１８】
ガス貯留筒１３は合成樹脂からなり、図２及び図３に示すように、合成樹脂にて上面が開口した有底円筒状に形成し、その内側には硫黄昇華ガスの貯留空間を形成している。ガス貯留筒１３の径寸法は忌避剤収容かご１２の上端径寸法より大きく形成し、ガス貯留筒１３の上部内側に忌避剤収容かご１２を配置している。また、ガス貯留筒１３の上端とフランジ部１２ｂを接着剤１５ａで接着或いは熱接着により、忌避剤収容かご１２とガス貯留筒１３を一体に結合している。ガス貯留筒１３の高さ寸法はその径寸法より大きく形成され、硫黄昇華ガスの貯留空間が高さ方向に延びている。また、ガス貯留筒１３の側板には上下方向略中央から上部に亘って多数のガス流出孔１３ａが形成され、ガス貯留筒１３内に流入した硫黄昇華ガスを上下方向中央から下部に亘る空間に貯留するようになっている。
【００１９】
カバー体１４は、図２及び図３に示すように、合成樹脂にて逆さカップ形状に形成されたものである。カバー体１４の上面は忌避剤収容かご１２の上面開口を覆っている。カバー体１４の側板は下方に向かって外側に拡径し、ガス貯留筒１３のうちガス流出孔１３ａと対向する部分を外側から間隔をおいて覆っている。これにより、カバー体１４は忌避剤収容かご１２及びガス貯留筒１３のガス流出孔１３ａが覆われ、雨水が忌避剤収容かご１２及びガス貯留筒１３内に浸入しないようになっている。また、カバー体１４の上板の中央には樹脂製の紐１６の下端が接着剤１５ｂにより固着され、この紐１６の上端を鳥獣出没箇所に吊すようになっている。
【００２０】
このように構成されたカバー体１４は忌避剤収容かご１２及びガス貯留筒１３にネジ１７により着脱自在となっている。即ち、忌避剤収容かご１２、ガス貯留筒１３及びカバー体１４の上部に互いに対向するネジ孔１２ｃ，１３ｂ，１４ａを複数に設け、各ネジ孔１２ｃ，１３ｂ，１４ａにネジ１７を螺合している。
【００２１】
本実施形態に係る動物忌避具１０を用いて街路樹１８のムクドリを忌避する際は以下のように行う。
【００２２】
まず、図３に示すように、各ネジ１７をネジ孔１２ｃ，１３ｂ，１４ａから抜き取り、カバー体１４を忌避剤収容かご１２及びガス貯留筒１３から外す。これにより、忌避剤収容かご１２の上面が開口する。次いで、この上面開口から忌避剤１１を忌避剤収容かご１２内に投入する。しかる後、カバー体１４が忌避剤収容かご１２の上面開口を覆うよう、再度、忌避剤収容かご１２及びガス貯留筒１３に組み付け、各ネジ１７でカバー体１４を忌避剤収容かご１２及びガス貯留筒１３に取り付ける。
【００２３】
このように動物忌避具１０を用意したときは、図４に示すように、動物忌避具１０をムクドリが留まる街路樹１８に取り付ける。なお、動物忌避具１０の取り付け位置は硫黄昇華ガスが街路樹１８の全体に行き渡らせるため、街路樹１８の上部に設定すべきである。また、動物忌避具１０の取り付け個数は街路樹１８の大きさ等に合わせて決めればよい。
【００２４】
以上のように街路樹１８に取り付けられた動物忌避具１０において、忌避剤収容かご１２内に収容された忌避剤１１が自然昇華し、硫黄昇華ガスとなって忌避剤収容かご１２内に流出する。ここで、空気の平均分子量と硫黄の分子量を比較すると、
空気の平均分子量；２８．９６６ｇ／ｍｏｌ
硫黄の分子量；３２．０６６ｇ／ｍｏｌ
であり、硫黄昇華ガスが空気より重くなっているため、忌避剤収容かご１２内の硫黄昇華ガスは下降し、ガス通過孔１２を通じてガス貯留筒１３に流入する。また、ガス貯留筒１３内の硫黄昇華ガスはガス貯留筒１３の底部に向かって流れ、ガス貯留筒１３の底部に硫黄昇華ガスが滞留する。これにより、硫黄昇華ガスがガス貯留筒１３の底部で徐々に高濃度となっていく。そして、ガス貯留筒１３内への硫黄昇華ガスの流入が継続し、これにより、高濃度の硫黄昇華ガスの範囲が徐々に上昇してガス流出孔１３ａの設置箇所に達したときは、高濃度の硫黄昇華ガスがガス流出孔１３ａから外部に流出する。
【００２５】
本実施形態に係る動物忌避具１０によれば、前述の如く、ムクドリが集まる街路樹１８に高濃度の硫黄昇華ガスが放出され、街路樹１８が硫黄昇華ガスによって覆われるため、硫黄昇華ガスの臭いを嫌うムクドリは街路樹１８に寄ってこない。また、忌避剤１１を加熱等することなく高濃度の硫黄昇華ガスを放出できるため、安全であり、また、忌避効果を継続的に実行できる。
【００２６】
また、街路樹１８に風が流れて動物忌避具１０が揺れるときは、ガス貯留筒１３が傾き、ガス流出孔１３ａの高さ位置が低くなるため、ガス貯留部１３内の硫黄昇華ガスが多量に外部に流出する。これにより、街路樹１８の周囲の硫黄昇華ガス濃度が非常に高くなるため、ムクドリの忌避効果が更に向上する。
【００２７】
更に、カバー体１４がガス流出孔１３ａを覆い雨水がガス貯留筒１３に入らないようにしているため、ガス貯留部１３に雨水が溜まることがなく、これにより、ガス貯留部１３のガス貯留容積が小さくなることがない。
【００２８】
なお、カバー体１４は忌避剤収容かご１２の上面開口を覆い、忌避剤収容かご１２内への雨水の浸入を防止しているが、カバー体１４、紐１６及び接着剤１５ｂの水密性に不具合があるときは、雨水が忌避剤収容かご１２内に浸入する場合も想定される。このような場合は、雨水が忌避剤１１の硫黄成分に接触して街路樹１８には不適な酸性水となるが、この酸性水はガス通過孔１２ａを通じてガス貯留部１３に貯留されるため、街路樹１８に滴下することがない。
【００２９】
更に、カバー体１４がネジ１７の取り付け及び取り外しにより忌避剤収容かご１２及びガス貯留筒１３に着脱自在となっているため、忌避剤１１を簡単に交換できる。
【００３０】
図５は本発明の第２実施形態に係る動物忌避具を示すものである。なお、前記第１実施形態と同様の構成部分は同一符号を用い、その説明を省略する。
【００３１】
第２実施形態に係る動物忌避具１０はガス貯留筒１３とカバー体１４との着脱構造を改良したものである。即ち、前記第１実施形態で説明したネジ１７及びネジ孔１２ｃ，１３ｂ，１４ａに代えて、ガス貯留筒１３の上部外面には雄ねじ１３ｃを設け、カバー体１４の上部内面には雄ねじ１３ｃに対応するよう雌ねじ１４ｂを設けている。
【００３２】
本実施形態によれば、雄ねじ１３ｃと雌ねじ１４ｂとの螺合操作及び螺合解除操作によってカバー体１４とガス貯留筒１３が着脱自在となっているため、前記第１実施形態の如くネジ部品が不要となり、ネジ１７の紛失による組み付け不良を起こすことがない。なお、忌避剤収容かご１２とガス貯留筒１３は熱接着され一体になっている。
【００３３】
前記各実施形態ではムクドリを例として説明したが、各実施形態に係る動物忌避具１０はカラスなど鳥類全般に適用できるし、また、猿、カモシカ、熊等、動物は凡そ硫黄臭を嫌うため、動物であれば凡そ適用することができる。
【符号の説明】
【００３４】
１０…動物忌避具、１１…忌避剤、１２…忌避剤収容かご、１２ａ…ガス通過孔、１３…ガス貯留筒、１３ａ…ガス流出孔、１４…カバー体、１６…紐。
【図１】
0005628009.tif 000002
【図２】
0005628009.tif 000003
【図３】
0005628009.tif 000004
【図４】
0005628009.tif 000005
【図５】
0005628009.tif 000006